(57)【要約】      （修正有）【課題】熱源を用いることなく２個の小型電動ファンを使用し、効率良く十分な乾燥が出来、消臭や抗菌機能を有し、コンパクトに携帯できる携帯式ブーツ乾燥器を提供する。【解決手段】雨や雪または汗等によって濡れたブーツ内側を乾燥するため、保護カバー１のついた先端をブーツＢに挿入します。その際、小型電動ファン２の排出側にあるメッシュ等の保護カバー１は、ブーツ挿入部を入れやすくすることと、ブーツのつま先付近から外へ排出する空気を妨げない空間を確保する。コントロールボックスからは携帯ブーツ乾燥器の電源の入／切と、稼働時間の設定の操作をおこなえる。消臭抗菌作用は、小型電動ファン２が回転すると自動的に働く。【選択図】図２
0003120409.tif 000002
【実用新案登録請求の範囲】
【請求項１】
ブーツのつま先付近に挿入できるようフレキシブルパイプ等の先端に装着された小型電動ファンが、前述パイプを通し吸い込んだ空気で、雪、雨、汗等で濡れたブーツの内側を乾燥させる。またシューズやグローブにも同様に作用する携帯式ブーツ乾燥機。
【請求項２】
小型電動ファンにはメッシュ製等の保護カバーが設けられ、ブーツ内部に挿入する際の引っ掛かりをなくし、その保護カバーと小型電動ファンとの間に作られた空間が排出される空気の通り道を確保することができる携帯式ブーツ乾燥機。
【請求項３】
フレキシブルパイプ等の空気吸入側には防塵用のフィルターがあり、そこには消臭剤及び／又は抗菌剤が収納することができる。それにより消臭抗菌手段が設けることができる携帯式ブーツ乾燥機。
【請求項４】
フレキシブルパイプ等の先端に小型電動ファンの装着されたブーツに挿入する部分は、着脱式のコントロールボックスにより制御されるタイプと、フレキシブルパイプ等の先端に小型電動ファンの装着されたブーツ挿入部を、ブーツ左右とコントロールボックスを一体にした形状のタイプがある。どちらの場合もコントロールボックスまたはコントロール部への電源は一般家庭電源、一般自動車のシガライター電源、電池等から供給される。コントロールボックスは電源の入／切や送風時間を設定できる携帯式ブーツ乾燥機。
【考案の詳細な説明】
【技術分野】
【０００１】  本考案は、雪又は雨等で濡れた１組のブーツまたはシューズ、グローブを効率の良い送風で短時間で乾燥することが出来る携帯式ブーツ乾燥機に関する。
【技術背景】
【０００２】  従来、雪や雨、汗などで濡れたブーツ、シューズ、グローブの内部を乾燥する際、（１）温風または涼風を送り込む装置により乾燥する。（２）スキー乾燥室等高温の部屋で乾燥する。（３）加熱機器をブーツ内に挿入し乾燥する。などの方法がある。
【考案の開示】
【考案が解決しようとする課題】
【０００３】  従来の技術で述べた（２）と（３）は本考案に類似する部分はなく、（１）の方法に類似する部分があると思われる。前記した従来の乾燥方法（１）で使われる電動ファンは、１つの乾燥装置に対して１個しか使用せず、電動ファンで起こした風を、その電動ファンに取り付けられてパイプ等の誘導装置を介してブーツ等の乾燥したいものに送る方式を採用している。この方法の場合、狭く長い通路に風を送るため、強力な電動ファンを使用しなくてはならず、電動ファンが大きくなり騒音も大きくなる。また、温風で乾燥する場合、乾燥に熱を使用するため熱発生装置が必要となり、本体をコンパクトに出来ないだけでなく、消費電力が大きくなる。乾燥装置に電流をたくさん流さなくてはならなくなるためＡＣアダプターなどの変圧装置を大きくしなければならない。また、自動車のシガライターソケットにも負担をかけるという問題点がある。更に高温に加熱された場合にはブーツの内側部分を痛める危険性がある。また、従来の乾燥器では消臭、抗菌に対する適当な手段を設けているものは殆どない。【０００４】  本考案は、以上の事情に鑑みて創案されたものであり、熱源を用いることなく２個の小型電動ファンを使用し、効率良く十分な乾燥が出来、消臭や抗菌機能を有し、コンパクトに携帯できる携帯式ブーツ乾燥器を提供することを目的とする。
【課題を解決するための手段】
【０００５】  以上の課題を達成するために、本考案に係る携帯式ブーツ乾燥器は、ブーツ１足に１個の小型電動ファンとフレキシブルパイプ、合計２個の小型電動ファンに電源を供給し、動作を制御するコントロールボックスで構成タイプと、前述の小型電動ファン２個とフレキシブルパイプ、コントロールボックスを一体化した形状のタイプがある。どちらのタイプも、大きな消費電力を必要としないので、コンパクトに設計でき、従来の問題点を解決している。また、空気の吸入口付近の防塵フィルター内に消臭剤及び／又は抗菌剤を収納することで消臭、抗菌性の面も解決している。
【考案の効果】
【０００６】  雨や雪または汗等によって濡れたブーツの主に内側を室温の空気で十分乾燥するため、ブーツ１足に１個フレキシブルパイプ先端に取り付けられた小型電動ファンはフレキシブルパイプ内の空気を吸い込み、ブーツのつま先付近へ排出するため従来の乾燥器より効率が良く電動ファンの小型化が可能になり、また、小型電動ファンがブーツ内部にあるため電動ファンの騒音も軽減される。【０００７】  効率の良い乾燥方法をおこなうことにより、高温を必要とせずブーツの内側部分を痛める危険性がなくなり、消費電力も少なくすむので電源の供給側に負担をかけず乾燥器を小型化できる。【０００８】  この携帯ブーツ乾燥器は、ブーツだけではなく、シューズやグローブの乾燥にも同様に効果がある。
【考案を実施するための最良の形態】
【０００９】  携帯ブーツ乾燥機の小型電動ファン側はブーツ内側のつま先側へ挿入される。大気側の空気はフレキシブルパイプ先端の防塵フィルターにより除塵され、さらに消臭、抗菌されてフレキシブルパイプを通り小型電動ファンまで誘導される。小型電動ファンまで誘導された空気はそのままブーツ内のつま先付近に排出される。小型電動ファン側に取り付けられたメッシュ等の保護カバーは、排出された空気の停滞を防ぎ、つま先側から戻ってくる排出されなければならない空気もスムーズに流すことができる。この空気の流れが、乾きにくいブーツのつま先部から乾燥させ、更につま先部より拡散した空気によりブーツの内部が均一に、万遍となく乾燥される。携帯ブーツ乾燥機の装着作業は極めて簡単で、単にブーツ挿入部の保護カバー側をブーツのつま先部へ挿入するだけで良く、また、加熱手段がなく小型電動ファンを作動するだけで乾燥が行われるため極めて安全に乾燥作業を行うことが出来る。また、消費電流も非常に少なくすむため、装置全体がコンパクトにまとめられ、持ち運びが容易に出来る。また、電源供給側に負担をかけないためコンセントや車の１２Ｖシガライター電源のある所なら何処でも何時でもすぐ使用できる。【００１０】  フレキシブルパイプはブーツの形状や大きさに合わせ自由に曲げて挿入できるため、どのようなブーツにも対応でき使用しやすいのでこの携帯ブーツ乾燥器の説明に使用するが、同等に形状を変化することのできるパイプ、チューブ、筒等も使用材料とする。
【実施例】
【００１１】  以下、添付図面に従って実施例を説明する。雨や雪または汗等によって濡れたブーツ内側を乾燥するため、図１−１の保護カバーのついた先端を図２のように図２−Ｂのブーツに挿入します。その際、小型電動ファンの排出側にあるメッシュ等の保護カバー（図１−１）は、図１−Ａのブーツ挿入部を入れやすくすることと、ブーツのつま先付近から外へ排出する空気を妨げない空間を確保する。【００１２】  同じようにもう一方のブーツにもブーツ挿入部（図１−Ａ）を入れたら、図４−Ｄのコントロールボックスから出ている図４−６のブーツ挿入部接続コードを左右のブーツのブーツ挿入部（図１−Ａ）に接続し、次に使用する電源に応じた図５−９か１０の電源接続コードをコントロールボックス（図４−Ｄ）に接続する。【００１３】  コントロールボックス（図４−Ｄ）からの操作は携帯ブーツ乾燥器の電源の入／切と、稼働時間の設定をおこなえる。消臭抗菌作用は、機械的なものではなく、フレキシブルパイプの吸入側に設置された消臭剤及び／又は抗菌剤でおこなうため電源が入り小型電動ファンが回転すると自動的に働く。【００１４】  本考案は、同時に指先まで乾きにくいグローブにも使用できる。グローブに使用する際は、保護カバー（図１−１）の取り付けられた先端を図３−Ｃのグローブの手首側からグローブ内の指の付け根部分まで挿入し使用する。その際メッシュカバーが、手首部分のグローブ内部から外へ排出する空気を妨げない空間を確保する。
【図面の簡単な説明】
【００１５】
【図１】本考案のブーツ挿入部の平面図である。
【図２】ブーツ挿入部をブーツに挿入した様子と送風の流れの図である。
【図３】本考案をグローブに使用した様子と送風の流れの図である。
【図４】コントローラーボックスの平面図である。
【図５】電源ケーブルの平面図である。
【図６】一体型タイプの携帯ブーツ乾燥器の平面図である。
【符号の説明】
【００１６】１  メッシュ等の保護カバー
２  小型電動ファン
３  フレキシブルパイプ等
４  消臭剤及び／又は抗菌剤
５  防塵用フィルター
６  ブーツ挿入部接続コード
７  電源スイッチ
８  動作時間設定タイマー
９  変圧器（１００Ｖ→１２Ｖ）付き電源コード
１０  自動車シガライター用電源コード
Ａ  ブーツ挿入部
Ｂ  ブーツ
Ｃ  グローブ
Ｄ  コントロールボックス
【図１】
0003120409.tif 000003
【図２】
0003120409.tif 000004
【図３】
0003120409.tif 000005
【図４】
0003120409.tif 000006
【図５】
0003120409.tif 000007
【図６】
0003120409.tif 000008
【手続補正書】
【提出日】平成17年8月26日(2005.8.26)
【手続補正１】
【補正対象書類名】実用新案登録請求の範囲
【補正対象項目名】全文
【補正方法】変更
【補正の内容】
【実用新案登録請求の範囲】
【請求項１】
ブーツまたはシューズのつま先付近やグローブの中に挿入できるフレキシブルパイプ等の先端に装着された小型電動ファンが、前述パイプを通し吸い込んだ空気で、雪、雨、汗等で濡れたブーツまたはシューズやグローブの内側を乾燥させる携帯式ブーツ乾燥機。
【請求項２】
小型電動ファンにはメッシュ製等の保護カバーが設けられ、ブーツ内部に挿入する際の引っ掛かりをなくし、その保護カバーと小型電動ファンとの間に作られた空間が排出される空気の通り道を確保することができる携帯式ブーツ乾燥機。
【請求項３】
フレキシブルパイプ等の空気吸入側には防塵用のフィルターがあり、そこには消臭抗菌手段のために消臭剤及び／又は抗菌剤が収納することができる携帯式ブーツ乾燥機。
【請求項４】
一般家庭電源や自動車のシガライター電源等から供給される電源の入／切と送風時間を制御するコントロールボックスまたはコントロール部とブーツ乾燥部から構成される携帯式ブーツ乾燥機。
【手続補正書】
【提出日】平成17年12月15日(2005.12.15)
【手続補正１】
【補正対象書類名】実用新案登録請求の範囲
【補正対象項目名】全文
【補正方法】変更
【補正の内容】
【実用新案登録請求の範囲】
【請求項１】
ブーツまたはシューズのつま先付近やグローブの中に挿入できるフレキシブルパイプ等の先端に装着された小型電動ファンが、前述パイプを通し吸い込んだ空気で、雪、雨、汗等で濡れたブーツまたはシューズやグローブの内側を乾燥させる携帯式ブーツ乾燥機。
【請求項２】
小型電動ファンにはメッシュ製等の保護カバーが設けられ、ブーツ内部に挿入する際の引っ掛かりをなくし、その保護カバーと小型電動ファンとの間に作られた空間が排出される空気の通り道を確保することを特徴とする請求項１記載の携帯式ブーツ乾燥機。
【請求項３】
フレキシブルパイプ等の空気吸入側には防塵用のフィルターがあり、そこには消臭抗菌手段のために消臭剤及び／又は抗菌剤が収納することを特徴とする請求項１記載の携帯式ブーツ乾燥機。
【請求項４】
一般家庭電源や自動車のシガライター電源等から供給される電源の入／切と送風時間を制御するコントロール部とブーツ乾燥部からの構成を特徴とする請求項１記載の携帯式ブーツ乾燥機。